(57)【要約】【課題】  屋外空間を２つに隔てる区画格子構造において、視線及び日射を時間や季節に応じて制御できるとともに、ゴミや砂が付着した場合でも開閉が比較的容易となる可動面格子を有する区画格子構造を提供する。【解決手段】区画格子構造１は、屋外空間を建物に沿って設けられる第一屋外空間２と建物から離れて設けられる第二屋外空間３とに隔てる区画格子構造１であって、上部に設けられる上部構造体４と、前記上部構造体４から間隔を開けて設けられる下部構造体５と、前記上部構造体４の下面に固定される上レール６と、前記上レール６にスライド可能に吊り下げられる吊り車２９を有し、前記下部構造体５との間に間隙を開けて配置される可動面格子８と、を備える。【選択図】図１
2018100546.tif 000002
【特許請求の範囲】
【請求項１】
屋外空間を建物に沿って設けられる第一屋外空間と建物から離れて設けられる第二屋外空間とに隔てる区画格子構造であって、
上部に設けられる上部構造体と、
前記上部構造体から間隔を開けて設けられる下部構造体と、
前記上部構造体の下面に固定される上レールと、
前記上レールにスライド可能に吊り下げられる吊り車を有し、前記下部構造体との間に間隙を開けて配置される可動面格子と、
を備えることを特徴とする区画格子構造。
【請求項２】
前記下部構造体の上面に、前記可動面格子の下端部が挿入される下ガイド溝を備え、
前記可動面格子はその下端に鉛直な軸に回転自在な円形平板状の回転体を有し、当該回転体は前記下ガイド溝に挿入されるとともに、前記下ガイド溝の底面から間隔を開けて配置されることを特徴とする請求項１に記載の区画格子構造。
【請求項３】
前記可動面格子は、水平材を鉛直方向に複数並べる横格子であり、
前記水平材は、下面が前記第一屋外空間から前記第二屋外空間に向かって上り勾配に形成されることを特徴とする請求項１または請求項２に記載の区画格子構造。
【請求項４】
少なくとも前記下部構造体の上面に固定されて、前記上部構造体及び前記下部構造体の間に立設され、前記可動面格子に平行に隣接する不動面格子をさらに備え、
前記可動面格子は、前記不動面格子と重なり合う開状態と、前記不動面格子の側方に配置される閉状態とにスライド可能であることを特徴とする請求項１から請求項３のいずれかに記載の区画格子構造。
【請求項５】
前記可動面格子が前記閉鎖状態のときに、当該可動面格子のスライドを規制する施錠手段を備えることを特徴とする請求項４に記載の区画格子構造。
【発明の詳細な説明】
【技術分野】
【０００１】
本発明は、建物に沿って設けられる第一屋外空間と建物から離れて設けられる第二屋外空間とに隔てる区画格子構造に関し、少なくともスライド可能な可動面格子が配置された区画格子構造に関するものである。
【背景技術】
【０００２】
従来より屋内と屋外を隔てる窓にルーバーなどの面格子が設けられる例が知られている。また、このような例においては格子が引き戸式となっている例が提案されている（例えば特許文献１、特許文献２）。
【０００３】
また、バルコニーなどの屋外空間と当該バルコニーの外側の屋外空間とを隔てる面格子についても記載された例がある（特許文献３）。
【先行技術文献】
【特許文献】
【０００４】
【特許文献１】特開２００４−２６３４５１号公報
【特許文献２】特開２０１３−１９４４２３号公報
【特許文献３】特開２００９−５２２４３号公報
【発明の概要】
【発明が解決しようとする課題】
【０００５】
ところで、屋外空間を２つの屋外空間に隔てる区画格子構造において、従来のような引き戸式の格子を用いた場合、下側の溝にゴミや砂などの異物が付着しやすく、掃除されていないとすぐに格子が動かなくなる問題があった。一方、バルコニーの場合のように、屋外空間を隔てる格子であっても引き戸のように動かすことができれば、時間帯や季節によって通風を確保しつつ視線や日射を制御することができるので、屋外空間にこのような格子を配置したい要請もあった。
【０００６】
そこで、本発明は、屋外空間を２つに隔てる区画格子構造において、視線及び日射を時間や季節に応じて制御できるとともに、ゴミや砂が付着した場合でも開閉が比較的容易となる可動面格子を有する区画格子構造を提供することを目的とする。
【課題を解決するための手段】
【０００７】
本発明の区画格子構造は、屋外空間を建物に沿って設けられる第一屋外空間と建物から離れて設けられる第二屋外空間とに隔てる区画格子構造であって、上部に設けられる上部構造体と、前記上部構造体から間隔を開けて設けられる下部構造体と、前記上部構造体の下面に固定される上レールと、前記上レールにスライド可能に吊り下げられる吊り車を有し、前記下部構造体との間に間隙を開けて配置される可動面格子と、を備えることを特徴としている。
【０００８】
本発明の区画格子構造は、前記下部構造体の上面に、前記可動面格子の下端部が挿入される下ガイド溝を備え、前記可動面格子はその下端に鉛直な軸に回転自在な回転体を有し、当該回転体は前記下ガイド溝に挿入されるとともに、前記下ガイド溝の底面から間隔を開けて配置されることを特徴としている。
【０００９】
本発明の区画格子構造は、前記可動面格子は、水平材を鉛直方向に複数並べる横格子であり、前記水平材は、下面が前記第一屋外空間から前記第二屋外空間に向かって上り勾配に形成されることを特徴としている。
【００１０】
本発明の区画格子構造は、少なくとも前記下部構造体の上面に固定されて、前記上部構造体及び前記下部構造体の間に立設され、前記可動面格子に平行に隣接する不動面格子をさらに備え、前記可動面格子は、前記不動面格子と重なり合う開状態と、前記不動面格子の側方に配置される閉状態とにスライド可能であることを特徴としている。
【００１１】
本発明の区画格子構造は、前記可動面格子が前記閉鎖状態のときに、当該可動面格子のスライドを規制する施錠手段を備えることを特徴としている。
【発明の効果】
【００１２】
本発明の区画格子構造によると、可動面格子が吊り車によって上部構造体の下面に固定された上レールに吊り下げられてスライド可能となっているので、可動面格子をスライドさせることによって、第一屋外空間への視線及び日射を時間や季節に応じて制御することができる。そして、可動面格子は下部構造体との間に間隔を開けて配置されているので、下部構造体の上にゴミや砂が付着した場合でも可動面格子のスライドが比較的容易である。
【００１３】
本発明の区画格子構造によると、下部構造体の上面に設けられた下ガイド溝に可動面格子の下端に設けられた回転体が挿入されており、当該回転体は下ガイド溝の底面から間隔を開けて配置されているので、可動面格子の見込み方向への移動を規制しつつ、下ガイド溝に若干のゴミや砂が付着した場合でも可動面格子のスライドが比較的容易である。
【００１４】
本発明の区画格子構造によると、可動面格子を構成する水平材の下面が第一屋外空間から第二屋外空間に向かって上り勾配に形成されているので、第二屋外空間側から第一屋外空間側への日射を比較的受け入れやすく、例えば第一屋外空間がバルコニーである場合などに洗濯物に日光を当てやすい。
【００１５】
本発明の区画格子構造によると、可動面格子に平行に隣接する不動面格子をさらに備えており、可動面格子は、不動面格子と重なり合う開状態と、不動面格子の側方に配置される閉状態とにスライド可能であるので、第一屋外空間を第二屋外空間と完全に隔てることができる。しかも、一方の面格子を少なくとも下部構造体の上面に固定される不動面格子とすることで、不動面格子の重量は下部構造体で受けることができるので、上部構造体への負担が大きくなることがなく、両方の面格子を可動面格子とする場合に比べてコストを下げることができる。
【００１６】
本発明の区画格子構造によると、可動面格子が閉鎖状態のときに当該可動面格子のスライドを規制する施錠手段を備えているので、第一屋外空間への第二屋外空間からの侵入を防止することができ、防犯性に優れる。
【図面の簡単な説明】
【００１７】
【図１】可動面格子が閉状態の場合の区画格子構造を示す一部省略平面図。
【図２】可動面格子が閉状態の場合の区画格子構造を示す正面図。
【図３】可動面格子が開状態の場合の区画格子構造を示す一部省略平面図。
【図４】可動面格子が開状態の場合の区画格子構造を示す正面図。
【図５】区画格子構造の全体構成を示す図３のＢ−Ｂ線端面図。
【図６】図５のＣ部分拡大図。
【図７】可動面格子の上端に設けられる吊り車の構成を説明する一部拡大正面図。
【図８】図５のＤ部分拡大図。
【図９】（Ａ）は可動面格子の下端に設けられる回転体の構成を説明する一部拡大正面図、（Ｂ）はその底面図。
【図１０】区画格子構造の全体構成を示す図１のＡ−Ａ線端面図。
【発明を実施するための形態】
【００１８】
以下、本発明に係る区画格子構造１の最良の実施形態について各図を参照しつつ説明する。区画格子構造１は、屋外空間を第一屋外空間２と第二屋外空間３との２つの屋外空間に隔てる区画格子構造１である。この区画格子構造１は、図１、図２、及び図５に示すように、上部に設けられる上部構造体４と、上部構造体４から間隔を開けて下方に設けられる下部構造体５と、上部構造体４の下面に固定される上レール６と、下部構造体５の上面に上レール６と平行に設けられる下ガイド溝７と、上レール６と下ガイド溝７の間に配置される可動面格子８と、下部構造体５の上面に固定されて、上部構造体４及び下部構造体５の間に立設される不動面格子９とを備えている。
【００１９】
第一屋外空間２は、建物の屋外側に当該建物に沿って設けられる空間である。第一屋外空間２は本実施形態においては隣接する２つの領域からなり、第一の領域２ａは、建物の２階に設けられるバルコニーであり、第二の領域２ｂは、平面視した場合にバルコニーに隣接し１階から２階に跨る屋外の吹き抜け空間である。第一の領域２ａにはバルコニー床１０が形成されており、当該バルコニー床１０の周縁に支柱１１が設けられて、当該支柱１１がガラス面材１２を支持している。また、第二屋外空間３は、建物から離れて設けられる空間である。第二屋外空間３は区画格子構造１によって第一屋外空間２と隔てられる空間であり、本実施形態においてはバルコニー及び屋外の吹き抜け空間のさらに屋外方向に広がる例えば庭などの空間である。第二屋外空間３は隣地や前面道路と建物との間にある空間であり、これら隣地や前面道路からの視線は第二屋外空間３を通して区画格子構造１を挟んで第一屋外空間２に向かう。
【００２０】
なお、第一屋外空間２及び第二屋外空間３は上述のものに限定されるものではなく、第一屋外空間２は、例えばガレージ、ベランダ、バルコニー、外廊下、ピロティ、デッキ、玄関アプローチなどのように外からの視線を遮りたい屋外空間である。また第二屋外空間３は第一屋外空間２のさらに外側の空間であり、例えば庭であったり、駐輪場やガレージが該当する場合もある。また、第一屋外空間２を建物の敷地全体とし、隣地境界や前面道路との間に区画格子構造１を配置した場合には、隣地や前面道路が第二屋外空間３となる。
【００２１】
本実施形態における第一屋外空間２は、建物の入隅部の屋外側に形成されており、第一屋外空間２にアクセス可能な掃き出し窓１３が設けられた奥側の壁１４と、奥側の外壁から突出する袖壁１５と、袖壁１５と対向して奥側の外壁から突出する側面の壁１６とに三方を囲まれた空間である。第一屋外空間２は屋根が設けられず空に向かって吹き抜けていてもよいし、又は、上階にオーバーハング又は屋根が設けられていてもよい。
【００２２】
区画格子構造１は、第一屋外空間２の三方の壁によって囲われていない一方に設けられ、第二屋外空間３との間を隔てている。上部構造体４は、図２、図５、及び図６に示されるように、上梁１７にアングル１８を介して支持される２枚の外装材１９によって形成された壁体である。上梁１７は、袖壁１５及び側面の壁１６の内部に設けられた図示しない構造梁に架設されており、連結部２０を介して、上レール６を上部構造体４の下面に支持している。上レール６は、下方に向けて開口したリップ溝形鋼であり、上部構造体４の下面に沿って長さ方向を水平に配置されている。上部構造体４の下面の上レール６の第一屋外空間２側には、上梁１７から連結部２０を介して固定片２１が支持されており、固定片２１は不動面格子９の上端を固定している。
【００２３】
また、下部構造体５は、図２、図５、及び図８に示されるように、下梁２２に固定金物２３を介して支持される２枚の外装材３４によって形成された壁体である。下部構造体５の上面は樹脂又は鋼板製の笠木２４で形成されており、当該笠木２４の上面には２つのアングル材２５を平行に並べて２本の突条２６を形成し、当該突条２６の間を下ガイド溝７としている。また、笠木２４の上面における下ガイド溝７の第一屋外空間２側には不動面格子９の下端を固定するＺ金具２７が設けられている。
【００２４】
可動面格子８は、アルミニウム製で、矩形枠内に水平材２８を鉛直方向に複数並べる横格子である。水平材２８は、図５、図６、及び図８に示すように、上面が水平で下面が第一屋外空間２から第二屋外空間３に向かって上り勾配に形成されている。このように構成されることで、第二屋外空間３側から第一屋外空間２側への日射を比較的受け入れやすく、例えば第一屋外空間２がバルコニーである場合などに洗濯物に日光を当てやすい。また、上面及び下面がいずれも第二屋外空間３側に下り勾配となっていないので、水平材２８に雨水等が付いた場合も水滴は第一屋外空間２側に落ちるので、第一屋外空間２が２Ｆのバルコニーである場合などにに、水滴が第二屋外空間３側に落ちることを防止できる。
【００２５】
可動面格子８の上端には、図６及び図７に示すように、吊り車２９が設けられている。吊り車２９は、上レール６の内側に挿入されて、当該上レール６の開口の両側にそれぞれ形成されるリップの上を走行する２つずつの車輪３０と、異なるリップの車輪３０同士を繋ぐ軸部３１と、軸部３１から吊り下がり可動面格子８の上枠をボルト及びナットで固定する吊り部３２とを有する。吊り車２９は１枚の可動面格子８の上枠に少なくとも２つ以上固定されている。
【００２６】
可動面格子８の下端には、図８及び図９に示すように、可動面格子８はその下端に鉛直な軸に回転自在な円形平板状の回転体３３を有している。回転体３３は少なくとも２つ設けられており、一方が可動面格子８の第一屋外空間２寄りに配置され、他方が第二屋外空間３寄りに配置されている。回転体３３は下ガイド溝７に挿入されて、当該下ガイド溝７の底面から間隔を開けて配置されている。図９（Ｂ）に示すように、可動面格子８を底面から見た場合に、可動面格子８から第一屋外空間２又は第二屋外空間３にはみ出すように配置されており、下ガイド溝７の突条２６に間隙を開けて配置されている。
【００２７】
強風時や可動面格子８をスライドさせるときに可動面格子８に見込み方向の荷重が加わった場合には、可動面格子８の下端に設けられた回転体３３が下ガイド溝７の突条２６に当接することで、可動面格子８の見込み方向への大きな移動を規制することができる。また、可動面格子８に設けられた回転体３３は、下ガイド溝７の底面から間隔を開けており、また下ガイド溝７の突条２６との間にも隙間を開けて配置されているので、下ガイド溝７にゴミや砂が付着した場合でも可動面格子８のスライドを比較的容易なものとすることができる。
【００２８】
不動面格子９は、アルミニウム製で、可動面格子８と同様に矩形枠内に水平材２８を鉛直方向に複数並べる横格子である。水平材２８の形状及びその効果は可動面格子８と同様であるので同一の符号を付して説明を省略する。不動面格子９の上端は、図６に示すように、固定片２１によって上部構造体４の下面に固定されており、不動面格子９の下端は図８に示すように、Ｚ金具２７によって下部構造体５の上面に固定されている。このように構成されることで、Ｚ金具２７が不動面格子９の重量を受けることができ、上部構造体４の上梁１７に不動面格子９の重量を負担をさせる必要がない。したがって、２つの面格子のうち一方を不動面格子９とすることで、上部構造体４に加わる荷重を低減することができる。
【００２９】
不動面格子９は、図１及び図３に示すように、可動面格子８の第一屋外空間２側に平行に配置されており、可動面格子８はそのスライド移動によって、図３及び図４に示すように不動面格子９と重なり合う開状態と、図１及び図２に示すように不動面格子９の側方に配置される閉状態とに移動可能である。すなわち、可動面格子８が戸袋のない片引き戸のように配置されている。なお、ここで「不動面格子９と重なり合う開状態」とは、第二屋外空間３側から見た場合に可動面格子８が不動面格子９と大きく重なり合った状態をいい、少なくとも可動面格子８はスライド方向の半分以上の長さが重なりあった状態をいう。また、「不動面格子９の側方に配置される閉状態」とは、第二屋外空間３側から見た場合に可動面格子８と不動面格子９とがほとんど重なり合っていない状態をいう。
【００３０】
可動面格子８が閉状態のときには、第一屋外空間２を囲っている袖壁１５と側面の壁１６との間の全幅に可動面格子８及び不動面格子９が配置されており、第二屋外空間３側から第一屋外空間２への視線を遮ることができる。可動面格子８が閉状態のときには当該可動面格子８のスライドを規制する図示しない施錠手段が設けられていてもよい。施錠手段は、例えば袖壁１５に固定されるフックと可動面格子８に固定されるリングとで構成し、リングにフックを引っ掛けることによって可動面格子８のスライドを規制するものである。施錠手段はこれに限定されず、可動面格子８をスライド可能な状態とスライド不能な状態とに移行させることができる構成であれば如何なる構成でもよい。このように構成すると、第二屋外空間３から第一屋外空間２への侵入を防止でき防犯性を高めることができる。
【００３１】
可動面格子８は閉状態のとき、第一屋外空間２のバルコニーである第一の領域２ａ側に配置され、不動面格子９は、第一屋外空間２の吹き抜け空間である第二の領域２ｂに配置されている。バルコニーは季節、時間帯、又は空間を利用する用途などに応じて、第二屋外空間３からの視線を遮る場合と、第一屋外空間２から第二屋外空間３に向かって解放的な視界がほしい場合とがあるので、可動面格子８を閉状態とすることで視線を遮り、また、可動面格子８を開状態とすることで開放的な視界を得ることができる。このように可動面格子８が閉状態のときに可動面格子８の第一屋外空間２側に配置される第一の領域２ａは、時間帯や季節などによって面格子の要否が変更される領域が好ましい。また、不動面格子９の第一屋外空間２側に配置される吹き抜け空間は、もともと床の無い空間であるので解放的な視界を必要とすることも無く、常に面格子が第二屋外空間３との間に配置されていても良い空間である。不動面格子９の第一屋外空間２側の第二の領域２ｂは、吹き抜け空間の他、例えば、給湯器や空気調和機の室外機が配置される位置にも適用することができる。
【００３２】
以上のように本実施形態の区画格子構造１によると、可動面格子８が吊り車２９によって上部構造体４の下面に固定された上レール６に吊り下げられてスライド可能となっているので、可動面格子８をスライドさせることによって、第一屋外空間２への視線及び日射を時間や季節に応じて制御することができ、しかも、可動面格子８の下端に設けられた回転体３３は、下部構造体５に設けられた下ガイド溝７との間に隙間を開けて配置されているので、当該下ガイド溝７にゴミや砂が付着した場合でも可動面格子８のスライドが妨げられることを抑制できる。
【００３３】
なお、本発明の実施の形態は上述の形態に限ることなく、本発明の思想の範囲を逸脱しない範囲で適宜変更することができることは云うまでもない。
【産業上の利用可能性】
【００３４】
本発明に係る区画格子構造１は、例えば住宅のバルコニーとそのさらに屋外側の空間を隔てる区画格子構造１として、好適に用いることができる。
【符号の説明】
【００３５】
１      区画格子構造
２      第一屋外空間
３      第二屋外空間
４      上部構造体
５      下部構造体
６      上レール
７      下ガイド溝
８      可動面格子
９      不動面格子
２９    吊り車
３３    回転体
【図１】
2018100546.tif 000003
【図２】
2018100546.tif 000004
【図３】
2018100546.tif 000005
【図４】
2018100546.tif 000006
【図５】
2018100546.tif 000007
【図６】
2018100546.tif 000008
【図７】
2018100546.tif 000009
【図８】
2018100546.tif 000010
【図９】
2018100546.tif 000011
【図１０】
2018100546.tif 000012